(57)【要約】【課題】天井や壁等に埋め込み、ＬＥＤを用いるダウンライトは、放熱された熱気は、ダウンライトの取り付け個所である天井裏や壁裏に排出されて溜まってしまうので、周囲の空間やダウンライト自体が冷却されにくい。このため、発光効率の低下や、発光部の劣化、短寿命化を引き起こしてしまうという問題がある。【解決手段】ＬＥＤを取り付けた発光部を、周囲に放射状に放熱フィンを形成した放熱体の一側に一体に取り付けて発光ユニットとし、前記発光ユニットを両端が開放された筒体に納め、さらに、その発光ユニットを納めた筒体を、一方を閉止蓋で閉止した筒状のケース内に、筒体外周とケース内周との間および筒体と閉止蓋との間に隙間を設けた状態にして納め、このケースを天井板や壁に空けた取り付け孔内にはめて取り付けるようにした。【選択図】図１
2012230761.tif 000002
【特許請求の範囲】
【請求項１】
ＬＥＤを取り付けた発光部を、周囲に放射状に放熱フィンを形成した放熱体の端部に取り付けて発光ユニットを形成し、この発光ユニットを両端開放の筒体内に収納し、さらに、この発光ユニットを収納した筒体を、一方を閉止蓋で閉止した筒状のケース内に、筒体の外周とケース内周との間および筒体を含む発光ユニットと閉止蓋との間に空気が流れる隙間を構成するようにして収納したことを特徴とするＬＥＤダウンライト。
【請求項２】
請求項１において、発光ユニットの発光部の反対側に吸排気用のファンを取り付けて放熱フィンを通る熱を含んだ空気を強制的に吸気して隙間に排気することを特徴とするＬＥＤダウンライト。
【請求項３】
請求項１もしくは請求項２において、放熱体の中心を中空としたことを特徴とするＬＥＤダウンライト。
【発明の詳細な説明】
【技術分野】
【０００１】
本発明は、天井や壁への埋め込み式のＬＥＤダウンライトに関する。
【背景技術】
【０００２】
従来のＬＥＤダウンライトにおいては、ＬＥＤを取り付けた発光部の発熱により、ＬＥＤ発光効率の低下や寿命の短縮が問題となっている。
【０００３】
また、ダウンライトの周囲は、発光部の発熱によって約８０°Ｃほどの温度になり、天井裏や壁裏などのダウンライトの取り付け個所の周囲に可燃性のものがあると極めて危険であるため、施工に際しては不燃材で覆うなどの慎重な対応が要求されている。そこで、発光部の外周にフィンを構成して放熱し、発光部の高熱化を防止する構造のものが考えられている（例えば、特許文献１）。また、ＬＥＤユニットを保持する筐体に開口を設けて熱気を放出させる構造のものがある（例えば、特許文献２）。
【先行技術文献】
【特許文献】
【０００４】
【特許文献１】特開２００９−１６３９５５号公報
【特許文献２】特開２００７−３５３８０号公報
【発明の概要】
【発明が解決しようとする課題】
【０００５】
しかしながら、これらの従来技術において、放熱された熱気は、ダウンライトの取り付け個所である天井裏や壁裏に排出されて溜まってしまうので、周囲の空間やダウンライト自体が冷却されにくい。このため、発光効率の低下や、発光部の劣化、短寿命化を引き起こしてしまうという問題がある。
【０００６】
本発明は、このような問題を解決することを課題とする。
【課題を解決するための手段】
【０００７】
そこで本発明は、ＬＥＤを取り付けた発光部を、周囲に放射状に放熱フィンを形成した放熱体の一側に一体に取り付けて発光ユニットとし、前記発光ユニットを両端が開放された筒体に納め、さらに、その発光ユニットを納めた筒体を、一方を閉止蓋で閉止した筒状のケース内に、筒体外周とケース内周との間および筒体と閉止蓋との間に隙間を設けた状態にして納め、このケースを天井板や壁に空けた取り付け孔内にはめて取り付けるようにした。
【発明の効果】
【０００８】
本発明によれば、室内の空気が筒体内の放熱体の放熱フィンの間からケース内に流れる際に、発光部で発生して放熱部に伝わった熱は空気によって吸収され、熱を吸収してケース内に流れた空気は、放熱体の上方からケースの内周と筒体の外周との隙間を通って室内に戻る。このように、排気を天井裏や壁裏内ではなく室内に放出することで、ダウンライトの周囲に熱を溜まらせることがなく、ダウンライトの発光部から生じる熱を効率的に冷却することができる。
【図面の簡単な説明】
【０００９】
【図１】実施例１を示す断面説明図
【図２】解体説明図
【図３】実施例２を示す断面説明図
【図４】解体説明図
【発明を実施するための形態】
【００１０】
以下に、図面を参照して本発明による実施例を説明する。
【実施例１】
【００１１】
図１は実施例１を示す断面説明図、図２は解体説明図である。
【００１２】
図において、１は、ＬＥＤを取り付けた発光部である。２は放熱体であり、発光部１に取り付けられ、発光部１から発生する熱を放熱させる。放熱体２は、中空体４の周囲に放射状に放熱フィン３を形成したものである。この放熱体の形状は一般的には円柱状であるが、多角形状でもよい。また、放熱体の材質は一般的にはアルミニウムであるが、これに限られるものではない。
【００１３】
この放熱体２の中空体４の一方の端部に発光部１を一体に取り付けて、発光ユニット５を形成する。また、発光部１又は放熱体２に、中空体４の中心になるように支持軸６を設けて、支持軸６の先端に球状体７を形成する。
【００１４】
８は、両端開放の筒体であり、この筒体８内に、前記発光ユニット５を発光部１もしくは放熱フィン３にわたした支持軸９によって一体にして納める。１０は、一方を閉止蓋１１で閉止した筒状のケースであり、このケース１０を天井板や壁に空けた取り付け孔１２にねじ止めや通常の適宜な係止手段１３によって装着できるようにしてある。ケース１０および筒体８の材質は、通常は金属製もしくは合成樹脂製であるが、これらに限られるものではない。
【００１５】
ケース１０の閉止蓋１１の内側には、上記支持軸６の球状体７を回動可能に保持する保持部１４を設けて、発光ユニット５を納めた筒体８をこのケース１０内に入れて、支持軸６の球状体７をこの保持部１４に回動可能に嵌めることによって一体に組み立て、ダウンライトを構成する。
【００１６】
この組立構造によって、筒体８の外周とケース１０の内周との間および筒体８を含む発光ユニット５と閉止蓋１１との間に空気の流れを形成する隙間１５を構成する。また、上記筒体８の室内側の端部（図では下端）を、ケース１０の室内側の端部より突出するように構成することにより、熱を帯びた排気を筒体８内に巻き込まなくすることができる。
【００１７】
なお、上記の説明では、ケース１０と発光ユニット５の連結固定構造を、支持軸６と保持部１４とによって回動可能な構造としているが、連結固定構造はこのようなものに限るわけではない。発光ユニットの向きは可変構造でなくてもよく、例えば、発光ユニットに取り付けた支持材の上端をケース１０の閉止蓋１１に固定する構造としてもよい。また、発光ユニットに取り付けた支持材を曲折可能な金属材料で構成してその上端をケース１０の閉止蓋１１に固定することによりその支持材を曲げて向きが変わる可変構造としてもよい。また、発光ユニット５と一体にした筒体８に連結アームを設け、この連結アームによってケース１０の周囲や閉止蓋に連結固定してもよい。いずれにしても、ケース１０と発光ユニット５との連結固定構造は、任意の構造でよい。
【００１８】
また、放熱体２は中空体でなくてもよく、放熱フィンを有する柱状体としてもよい。放熱体の端部面に発光ユニット５を固定すればよい。発光ユニット５には、筒体８およびケース１０に設けた配線孔によって電線が配線される。
【００１９】
以上の構成のダウンライトによると、ＬＥＤの使用により発光部から生じた熱は、放熱体２の放熱フィン３に伝導され、その放熱フィン３の間を室内の空気が矢印で示すように通過することで冷却される。つまり、室内から吸い込まれ、放熱フィン３の間を通過して熱を含んだ空気は、放熱フィン３の端部（図においては上端）からケース１０の閉止蓋１１によって閉止されている隙間１５に抜けて、さらに放熱フィンの周囲の筒体８の外周とケース１０の内周との隙間１５へと流れて室内に戻るので、熱せられた空気が天井裏や壁裏内へ放出されないものである。
【００２０】
なお、筒体８の外周とケース１０の内周との隙間１５から室内に放出される熱を含んだ空気は、筒体８の室内側端部をケース１０の室内側端部より突出するように構成することにより、隙間１５から放出された熱を含んだ空気は、発光ユニット５にそのまま吸い込まれることなく、室内に放出される。また、必要に応じて、発光ユニット５は発光方向の可変構造によってケース１０への取り付け角度を変えて照明方向を変えることができる。
【実施例２】
【００２１】
本実施例は、上記実施例１の構成において、空気を強制的に循環させるファンを取り付けたところにある。
【００２２】
図３、図４に示すように、上記した放熱体２の一方の側に発光部１を取り付けて一体にした発光ユニット５の放熱体２の中空部に動力源であるモータを収納し、そのモータに吸排気用のファン１６を連結して取り付けた構造である。
【００２３】
８は、両端開放の筒体であり、この筒体８内に上記発光ユニット５を発光部１もしくは放熱フィン３にわたした後述する支持軸１７によって一体にして納めてある。
１０は、一方を閉止蓋１１で閉止した筒状のケースであり、このケース１０を天井板や壁にあけた取り付け孔１２にねじや通常の適宜な係止手段１３によって装着できるようにしてある。
【００２４】
本実施例においては、実施例１における意味での支持軸６は存在しない。発光ユニット５を収納した筒体８をケース１０内に入れて、筒体８とケース１０との間の複数個所に支持軸１７をわたして連結固定することによって一体に構成して、ダウンライトとする。
なお、この筒体８とケース１０の連結固定構造も上記実施例１で説明したものと同様のものとしてもよく、どのような連結固定構造であってもよい。また、放熱体も上記実施例１と同様の中空体でなく、柱状体でもよい。放熱体を柱状体により構成した場合には、ファンを連結するモータを放熱体の端部に取り付ければよい。
【００２５】
このような構成のダウンライトによると、ファン１６によって空気の流れが促進されるので、ＬＥＤの使用により生じて放熱体２の放熱フィン３に伝導された熱は、図中の矢印で示すように放熱体２の放熱フィン３の間を室内の空気が通過する際に冷却され、熱を含んだ空気は、放熱フィン３の端部（図においては上端）からケース１０の閉止蓋１１側の隙間１５から、放熱フィン３の周囲の筒体８の外周とケース１０の内周との隙間１５へと急速に流れて室内に戻る。これにより、熱せられた空気が天井裏や壁裏内へ放出されないものである。
【００２６】
なお、本実施例も実施例１と同様に、筒体８の外周とケース１０の内周との隙間１５から放出される熱を含んだ空気は、筒体８の室内側端部をケース１０の室内側端部より突出するように構成することにより、隙間１５から放出された熱を含んだ空気は、発光ユニット５にそのまま吸い込まれることなく、室内に放出される。
【符号の説明】
【００２７】
１  発光部
２  放熱体
３  放熱フィン
４  中空体
５  発光ユニット
６  支持軸
７  球状体
８  筒体
９  支持軸
１０  ケース
１１  閉止蓋
１２  取り付け孔
１３  係止手段
１４  保持部
１５  隙間
１６  ファン
１７  支持軸
【図１】
2012230761.tif 000003
【図２】
2012230761.tif 000004
【図３】
2012230761.tif 000005
【図４】
2012230761.tif 000006